(57)【特許請求の範囲】
【請求項１】
映像信号のコピー防止を強化する、または動的コピー防止を提供する方法であって、
映像信号を受信する手順と、
映像信号にコピー防止処理の属性を設ける手順と、
起動された前記コピー防止の少なくとも一部を維持しつつ、平均画像レベルに基づいて、映像信号の少なくともビデオラインにおいてコピー防止処理の属性を動的に変更する手順と、
動的に変更した属性を前記コピー防止処理と合成して前記コピー防止を強化する、または動的コピー防止を提供する手順と
を有する映像信号のコピー防止を強化する方法。
【請求項２】
属性の動的変更は映像信号の少なくとも一本のラインにおける明るさまたは平均画像レベルに関係する、請求項１記載の方法。
【請求項３】
前記変更の前に平均画像レベルの平均画像レベルを検出する手順をさらに有し、
前記変更は平均画像レベルに関する信号を映像信号に加える手順を含む、請求項２記載の方法。
【請求項４】
変更される属性は帰線エンハンサーの下側レベルであり、前記帰線エンハンサーは映像信号中の通常の同期信号の発生とは異なる時間に減衰された映像信号の表示中に帰線を生じさせる、請求項１記載の方法。
【請求項５】
変更する手順は、平均画像レベルが平均よりも暗い場合に、下側レベルを映像信号のブランキングレベルよりも下に変更する手順を含む、請求項４記載の方法。
【請求項６】
変更する手順は、平均画像レベルが平均よりも明るい場合に、下側レベルを映像信号のブランキングレベルよりも上に変更する、請求項４記載の方法。
【請求項７】
同期信号は水平同期信号であり、
帰線エンハンサーは、映像信号のフィールドにおける複数のラインのオーバースキャン部分の複数の移り変わりによって形成されたチェッカーパターンを含む、
請求項４記載の方法。
【請求項８】
同期信号は垂直同期信号であり、
帰線エンハンサーは、上記下側レベルの他に、中間パターンの上側レベルを含み、上記上側レベルと上記下側レベルの各々は、映像信号のフィールドの最後の付近に加えられる、
請求項４記載の方法。
【請求項９】
属性は映像信号に通常現れる同期信号の幅である、請求項１記載の方法。
【請求項１０】
変更する手順は、平均よりも暗い平均画像レベルに対する同期信号の幅が、平均よりも明るい平均画像レベルに対する同期信号の幅よりも小さく狭幅化される手順を含む、請求項７記載の方法。
【請求項１１】
映像信号のコピー防止を強化する、または動的コピー防止を提供する方法であって、
減衰された映像信号における通常のものでない帰線を示すタイプの帰線エンハンサーを生成する手順と、
起動されたコピー防止の少なくとも一部を維持しつつ、映像信号中の少なくとも１つのラインにおいて、平均画像レベルに基づき帰線エンハンサーを変更する手順と、
変更した帰線エンハンサーを前記コピー防止プロセスと合成してコピー防止を提供または強化する手順と、
を有する方法。
【請求項１２】
上記変更する手順は、平均画像レベルに関連した信号を映像信号に付加して帰線エンハンサーをレベルシフトする手順を含む、請求項１１記載の方法。
【請求項１３】
上記変更する手順の前に、帰線エンハンサーを映像信号に付加する手順と、
上記変更する手順の間に、平均画像レベルに関連した信号を該映像信号に付加する手順と、
を更に有する請求項１１記載の方法。
【請求項１４】
変更された帰線エンハンサーを生成するため、上記変更する手順の間に、平均画像レベルに関連した信号を上記帰線エンハンサーに付加する手順と、
該変更された帰線エンハンサーを上記映像信号に付加する手順と、
を更に有する請求項１１記載の方法。
【請求項１５】
帰線エンハンサーは、映像信号の複数の連続ラインのオーバースキャン部分における複数の移り変わりによって形成されたチェッカーパターンを含む、請求項１１記載の方法。
【請求項１６】
帰線エンハンサーは、映像信号の第１のフィールドの最後の付近で第１のラインに付加された高レベルによって形成された中間パターンと、映像信号の第２のフィールドの最後の付近で第２のラインに付加された低レベルとを含む、請求項１１記載の方法。
【請求項１７】
帰線エンハンサーは同期信号を含み、
上記変更する手順は、同期信号の幅を狭幅化する手順を含む、
請求項１１記載の方法。
【請求項１８】
映像信号のコピーが再生されるときに、映像信号のコピー防止を強化し、または動的コピー防止を提供する装置であって、映像信号は帰線エンハンサー及び同期信号を含む装置であって、
映像信号を受信する映像入力と、コピー防止処理された映像信号における平均画像レベルに関連した電圧レベルを動的に供給するインジケーター出力端子とを具備した検知回路と、
映像入力に接続され、タイミング出力端子を具備し、コピー防止処理された映像信号に帰線エンハンサーが存在する場合に制御パルスを供給するタイミング発生器と、
起動されたコピー防止の少なくとも一部を維持しつつ、映像信号の電圧レベルに基づいて帰線エンハンサーを変更する回路と、
コピー防止を更に強化または提供するため、制御パルスに応答して、電圧レベルに応じ、それゆえ平均画像レベルに応じて変更された帰線エンハンサーを映像信号と合成する手段と、
を有する装置。
【請求項１９】
検知回路は、平均画像レベル若しくは画像明るさレベル、又は、同期信号の振幅から電圧レベルを動的に生成する測定回路を具備し、
合成する手段は、制御パルスに応答して動的な電圧レベルを供給するスイッチ回路を具備する、
請求項１８記載の装置。
【請求項２０】
測定回路は、
映像入力に接続され、平均画像レベル、明るさ、又は、同期信号の振幅に応答して初期電圧信号を発生する平均画像レベルセンサと、
初期電圧信号に応答して電圧レベルを生成するレベル割当器回路と、
を具備する、
請求項１９記載の装置。
【請求項２１】
測定回路は、
映像入力に接続され、同期振幅に応答して初期電圧信号を発生する同期振幅センサと、
同期振幅センサに接続され、初期電圧信号に応答して電圧レベルを生成するレベル割当器回路と、を具備する、
請求項１９記載の装置。
【請求項２２】
同期振幅センサは、
映像入力に接続された同期分離器手段と、
同期分離器手段に接続されたサンプル・ホールド回路と、
サンプル・ホールド回路に接続され、サンプル・ホールド回路から複数の電圧レベルが与えられる差動増幅器と、
を具備し、
レベル割当器回路は差動増幅器の出力に接続されている、
請求項２１記載の装置。
【請求項２３】
同期分離器回路は、
サンプル・ホールド回路に応答する第１の同期分離器と、
第２のサンプル・ホールド回路に応答する第２の同期分離器と、
を具備する、
請求項２２記載の装置。
【請求項２４】
複数の電圧レベルは、同期チップ電圧及び／またはバックポーチ電圧を含む、請求項２２記載の装置。
【請求項２５】
測定回路は、反転増幅器を含む、電圧レベルをスイッチ回路に供給するレベル割当器回路を具備する、請求項１９記載の装置。
【請求項２６】
測定回路は、アナログ・デジタル変換器、アナログ・デジタル変換器に接続されたメモリ、及び、メモリに接続されたデジタル・アナログ変換器を含み、電圧レベルをスイッチ回路に供給するレベル割当器回路を具備する、請求項１９記載の装置。
【請求項２７】
検知回路に応答して、平均画像レベルの関数として幅が動的に狭幅化された新しい同期信号を生成する手段と、
合成する手段と一体であり、動的に狭幅化された新しい同期信号を先に動的に強化された映像信号と合成する第２のスイッチ回路と、
を更に有する請求項１９記載の装置。
【請求項２８】
タイミング発生器に応答して、新しい同期及びカラーバーストゲート信号を生成するタイミング回路と、
新しい同期信号と共に新しいカラーバーストを供給する手段と、
を更に有し、
第２のスイッチ手段は、新しい同期及びカラーバーストゲート信号に応じて、動的に狭幅化された新しい同期信号及び新しいカラーバーストを映像信号と合成する、
請求項２７記載の装置。
【請求項２９】
生成する手段は、平均画像レベルに応答するプロセッサ回路と、プロセッサ回路に接続された可変タイミング長さ回路と、を具備する、請求項２８記載の装置。
【請求項３０】
合成する手段は、帰線エンハンサーの期間に電圧レベルを映像信号に加える加算手段を含む、請求項１９記載の装置。
【請求項３１】
合成する手段は、帰線エンハンサーの期間に電圧レベルを映像信号に挿入するスイッチ回路を具備する、
請求項１９記載の装置。
【請求項３２】
測定回路と一体的にされ、平均画像レベル、明るさ、又は、同期信号の振幅を表わす電圧レベルを生成するレベル割当回路と、
レベル割当手段に接続され、選択された低バイアス信号を供給する加算器と、
加算器に接続され、エンド・オブ・ライン周波数に応じて上側又は下側のエンド・オブ・ライン電圧を供給するエンド・オブ・ライン・スイッチと、エンド・オブ・フィールド周波数に応じて上側又は下側のエンド・オブ・フィールド電圧を供給するエンド・オブ・フィールド・スイッチと、
エンド・オブ・ライン・スイッチ及びエンド・オブ・フィールド・スイッチに接続され、上側若しくは下側のエンド・オブ・ライン電圧、又は、上側若しくは下側のエンド・オブ・フィールド電圧を、対応するエンド・オブ・ライン・タイミング信号及びエンド・オフ・フィールド・タイミング信号に応じて、映像信号中の対応する帰線エンハンサーと合成するスイッチング回路と、
を更に有する請求項１９記載の装置。
【請求項３３】
帰線エンハンサーは、コピー防止処理された映像信号の選択されたラインの最後にチェッカー信号を含む、請求項１８記載の装置。
【請求項３４】
帰線エンハンサーは、コピー防止処理された映像信号のフィールドの最後に中間パターン信号を含む、請求項１８記載の装置。
【請求項３５】
映像信号のコピー防止を強化する、または動的コピー防止を提供する装置であって、
帰線エンハンサーとして映像信号にコピー防止をするコピー防止回路と、
コピー防止回路と接続した、映像信号の平均画像レベルを示す電圧レベルを動的に供給する測定回路と、
さらにコピー防止を強化するか、または動的コピー防止を提供するために、動的電圧レベルを帰線エンハンサーと合成する手段と、
を有する装置。
【請求項３６】
コピー防止回路は、帰線エンハンサーの発生に直流オフセットを用い、
測定回路は、電圧入力ラインを介して合成する手段に動的電圧レベルを供給し、
動的電圧レベルは、コピー防止を施された映像信号の平均画像レベルの関数である、
請求項３５記載の装置。
【請求項３７】
測定回路は、コピー防止処理された映像信号に含まれるエンド・オブ・ライン・チェッカー信号との選択的な合成のため、平均画像レベルの動的な関数である下側電圧レベルを供給する、
請求項３５記載の装置。
【請求項３８】
測定回路は、コピー防止処理された映像信号に含まれる中間パターン信号との選択的な合成のため、平均画像レベルの動的な関数である上側電圧レベルを供給し、
下側電圧レベル及び上側電圧レベルは、映像信号のエンド・オブ・フィールドで夫々に対応した帰線エンハンサーと合成される、
請求項３５記載の装置。
【請求項３９】
合成する手段は、
コピー防止処理された映像信号に応答して、コピー防止処理された映像信号におけるエンド・オブ・ライン帰線エンハンサーのエンド・オブ・ライン期間を表わすタイミング信号、及び、エンド・オブ・フィールド帰線エンハンサーのエンド・オブ・フィールド期間を表わすタイミング信号を発生し、
エンド・オブ・ライン・タイミング信号に応答して動的な電圧レベルのエンド・オブ・ライン・エンハンサーとの合成を開始させ、エンド・オブ・フィールド・タイミング信号に応答して動的な電圧レベルのエンド・オブ・フィールド・エンハンサーとの合成を開始させる手段を具備する、
請求項３５記載の装置。
【請求項４０】
測定回路は、
コピー防止された映像信号の平均画像レベルを示す初期電圧信号を供給する検知回路と、
検知回路に接続され、初期電圧信号に応じて、電圧レベルを、合成する手段へ供給するレベル割当回路を具備する、請求項３９記載の装置。
【請求項４１】
レベル割当回路は反転回路を具備する、請求項４０記載の装置。
【請求項４２】
レベル割当回路は、アナログ・デジタル変換器、アナログ・デジタル変換器に接続されたメモリ、及び、メモリに接続されたデジタル・アナログ変換器を具備する、請求項４０記載の装置。
【請求項４３】
測定回路は、映像信号の明るさに関する平均画像レベルを測定する平均画像レベル測定回路を含み、
合成する手段は、コピー防止された映像信号中の帰線エンハンサーの発生を示すタイミング信号を発生する手段を含む、
請求項３５記載の装置。
【請求項４４】
平均画像レベル測定回路は、
コピー防止処理された映像信号を受信し、平均画像レベルの関数として下側レベル信号を生ずる平均画像レベルインジケーター回路と、
平均画像レベルの関数として上側レベル信号を生ずる手段と、
発生手段に応答して、一つ以上の下側レベル信号又は上側レベル信号を選択する信号選択スイッチと、
信号選択スイッチに応答して、選択された下側レベル信号又は上側レベル信号をコピー防止処理された映像信号と合成する手段と、
を具備する、
請求項４３記載の装置。
【請求項４５】
平均画像レベル測定回路は、
コピー防止処理された映像源をフィルタするフィルタ手段と、
フィルタ手段に接続され、映像信号のバックポーチ部分での平均画像レベルに関連したサンプルレベルを与えるサンプリング回路と、
反転回路を含み、平均画像レベルを表す電圧レベルを、合成する手段へ供給するレベル割当器回路と、
を具備する、
請求項４３記載の装置。
【請求項４６】
合成する手段は、入力側で測定回路及び基準電圧Ｖｒｅｆに接続され、発生手段に応答して、入力側へ与えられた入力のうちの一つを電圧レベルとして通過させるスイッチ回路を具備し、
コピー防止処理された映像信号をブランキングレベルよりも下にクランプするクランプ回路と、
クランプ回路に接続され、スイッチ回路からの電圧レベルに応答する電圧制御型増幅器と、
が更に設けられている請求項４３記載の装置。
【請求項４７】
測定回路は、映像信号における同期信号の振幅についての平均画像レベルを測定する同期振幅検知回路を具備し、
合成する手段は、コピー防止処理された映像信号における帰線エンハンサーの出現を表わすタイミング信号を生成する手段を具備する、
請求項３５記載の装置。
【請求項４８】
測定回路は、
同期信号の振幅を判定する同期分離器と、
同期分離器に応答して、電圧レベルを生じる電圧レベルサンプリング回路と、
を具備する、
請求項４７記載の装置。
【請求項４９】
電圧レベルサンプリング回路は、
同期分離器に接続され、バックポーチ及び同期信号チップの電圧レベルを生ずるサンプル・ホールド回路と、
サンプル・ホールド回路に応答する増幅器と、
増幅器に応答して、電圧レベルを生じるレベル割当器と、
を具備する、
請求項４８記載の装置。
【請求項５０】
映像信号のコピー防止を強化する、または動的コピー防止を提供する方法であって、
映像信号により担われたコピー防止プロセスの属性を映像信号の平均画像レベルに応じて動的に変更する手順と、
動的に強化されたコピー防止プロセスを提供するために、動的に変更した属性をコピー防止プロセスと合成する手順と、
を有する方法。
【請求項５１】
属性は、少なくとも１本のラインのチェッカー信号、同期信号狭幅化、垂直ジッタ信号、同期信号振幅変更、及び／またはレベルシフトを含み、
属性は、映像信号中の少なくとも１つのラインにおける平均画像レベルに応じて異なって変更される、請求項５０記載の方法。
【請求項５２】
動的に変更する手順は、
映像信号の平均画像レベルを継続的に検知する手順と、
映像信号の属性の発生を検出する手順と、
検知される平均画像レベルに応じて検出された属性を変更する手順と、
を有する、請求項５０記載の方法。
【請求項５３】
映像信号は同期信号を含み、
継続的に検知する手順は、映像信号の明るさレベルまたは同期信号振幅の関数として、平均画像レベルを動的に測定する手順を含む、請求項５２記載の方法。
【発明の詳細な説明】
【０００１】
従来のビデオテープレコーダは、映像信号のパルス（「同期（シンク）パルス）のレベルを測定する自動利得制御回路を含む。この回路は、ビデオテープ記録システム（ＶＣＲ）のＦＭ変調器に供給されるビデオレベルを固定の所定値に保つため使用される利得補正信号を発生させるべく測定されたレベルを使用する。従来、ビデオテープレコーダのこのような回路は、たとえば、Ryanに付与された米国特許第4,631,603号明細書（以下、'603号特許と略記することがある）に記載されているように、コピー複製を防止するために正常映像信号に付加されたパルスに対し高感度である、という事実を用いることによってビデオテープの無許可の複製を防止する。
【０００２】
Wonfor外に許可された米国特許第5,583,936号明細書（以下、'936号特許と略記することがある）は、上述のタイプの映像コピー防止処理、或いは、（たとえば、Ryanに許可された米国特許第5,130,810号明細書及び第4,918,098号明細書（以下、'098号特許と略記することがある）、並びに、Morio外に許可された米国特許第4,163,253号明細書（以下、'253号特許と略記することがある）に記載されているような）減衰を生じさせるコピー防止処理に対する多数の改良（以下では、帰線エンハンサーと呼ぶ）を記載する。特に、Wonfor外の特許第5,583,936号には、たとえば、水平若しくは垂直同期信号の直前で、テレビ画像のアクティブ映像ではないオーバースキャン部分に、テレビ受信機（テレビ受像機）若しくはビデオテープレコーダ（ＶＣＲ）に同期信号であると認識される負側へ進行する波形を導入し、水平帰線若しくは垂直帰線を進めることが記載されている。
【０００３】
ある形態では、画像の右側オーバースキャン部分に波形（水平帰線エンハンサーと呼ばれる）が与えられ、これにより、中間（グレイ）領域と黒領域が交互に現れるチェッカーパターンが得られる（図１ＡにＥＳ０−ＥＳ６として示されている。）。これは、不法コピーが再生されるテレビ受像機で、選択ラインに正常よりも早い（進んだ）帰線を水平方向に生じさせ、その結果として、この選択ライン上で画像情報が水平方向にシフトする。これは、画像再生性を実質的に低下させる。別の形態では、別の波形（垂直帰線エンハンサー）は、画像の下方オーバースキャン部分に中間パターン（図１Ｂ及び１Ｃに、それぞれ、ＧＰ０−ＧＰ２及びＧＰ３−ＧＰ５として示されている）を導入し、これにより、垂直画像に不安定性（ジッタとも呼ばれる）を生じさせる。尚、図１Ａ−１Ｃにおいて、ＥＳ０−ＥＳ６、ＧＰ０−ＧＰ２、及び、ＧＰ３−ＧＰ５として指定される波形の形状は、ビデオレベルが可変であることが示すために破線で表わされている。
【０００４】
上記の水平帰線エンハンサー及び垂直帰線エンハンサーを挿入する回路１０は、図１Ｄにブロック形式で示されている。主映像信号パスは、入力クランプ増幅器Ａ１（又は、直流再生増幅器）、同期パルス狭幅化回路１３、チェッカーパターンの成分と垂直変更（ジッタ誘発）波形の成分とが加算される混合点１５、及び、出力ライン・ドライバ増幅器Ａ２を含む。増幅器Ａ１は、ブランキングでの映像信号が、付加的な波形成分をその映像信号に加える前に、既知の予め定められた直流レベルであることを保証する。ここで得られるクランプされた映像信号は、ソースインピーダンスＲ０が典型的に１０００Ωよりも高い混合点１５へ供給される。この例では、図１Ｄの回路１０への映像入力信号は、基準レベルまで削除された各フィールドの最後の９本のラインを含む。米国特許第4,695,901号には、ブランキング用のスイッチング回路が記載されている。
【０００５】
プロセス制御及び信号生成パスは、同期分離器１１、制御回路１２、主映像信号に付加される要求された信号電圧を発生するための回路ＶＲ１―ＶＲ４、及び、制御回路１２の制御下で要求された信号電圧を混合点１５へ供給するスイッチ選択システム１４−１乃至１４−４を含む。すなわち、差し挟まれるべき帰線エンハンサーは、典型的に、５０Ω未満のソースインピーダンスを備えた混合点１５へ供給される。入力映像は、入力映像クランプ増幅器Ａ１によって直流再生される。
【０００６】
たとえば、チェッカー成分を用いて入力映像信号を変更する必要がある場合、適当な信号が選択され、低ソースインピーダンスの混合点１５へ供給される。混合点は、増幅器Ａ１からの入力映像信号を無効とし、入力映像信号を要求された信号で効率的に置換する。入力信号を変化させる必要が無いとき、スイッチ素子１４−１乃至１４−４は、全て開いた（オープン）状態になり、その結果として、入力映像信号は、そのまま、出力ライン・ドライバ増幅器Ａ２へ渡される。混合点１５で得られた映像信号は、標準出力信号レベル及び出力インピーダンスを与えるためライン・ドライバ増幅器Ａ２へ供給される。同期分離器１１は、プロセス制御回路１２が要求する複合同期パルス及びフレーム識別信号を与える。プロセス制御回路１２は、正確な時点で、種々の信号、すなわち、水平若しくは垂直帰線エンハンサーで入力映像信号を置換するために要求される期間に亘って、信号選択スイッチ１４−１乃至１４−４をターンオンさせるため、制御信号を発生する。
【０００７】
入力映像信号を置換する種々の信号は、好ましくは、高安定状態若しくは低安定状態のＤＣ（直流）信号レベルを含む。たとえば、チェッカー信号の高レベルは、中間グレイレベルであり、典型的にピークホワイトの約３０％のレベルであり、一方、チェッカー信号の低レベルは黒レベル若しくはブランキングレベルである。これらの多数のレベルは、適当な電源ラインに接続されたポテンショメータＶＲ１、ＶＲ２、ＶＲ３及びＶＲ４（或いは、固定プリセット信号レベル用の分圧抵抗器）から発生される。これらの信号は、混合点１５への必要な低出力インピーダンスを確保するため、単位利得の演算増幅器を介して対応した選択スイッチ素子１４−１、１４−２、１４−３及び１４−４に供給される。
【０００８】
制御回路１２は、水平及び垂直帰線エンハンサー（図３Ａ〜３Ｃを参照のこと）を付加するため適当なスイッチ選択制御パルスを生成する。チェッカーパルス（水平帰線エンハンサー）は選択されたラインだけに供給される。一例として、チェッカーパターンは、画像情報を含む１０番目のライン、すなわち、垂直ブランキングの終了後に始まり、画像情報を含む最後のラインよりも１０本前のライン、すなわち次の垂直ブランキング（帰線消去）期間の開始よりも１０ライン前に終わる。同様に、垂直ジッタ信号（垂直帰線エンハンサー）は、選択されたラインだけに、たとえば、垂直ブランキング期間の直前の９ラインだけに供給される。したがって、チェッカーパターン及び垂直ジッタ信号の両方は、水平レート成分と垂直レート成分の両方を含む制御信号を必要とする。
【０００９】
映像入力信号は、増幅器Ａ３によってバッファされ、同期分離器１１へ供給され、同期分離器１１は、上述の複合同期パルス及びフレーム識別信号（たとえば、方形波）を生成する。複合同期パルスは、制御回路１２に設けられた位相ロックループ（ＰＬＬ）に供給される。ポテンショメータを使用するＰＬＬの位相制御は、水平レート出力パルスが要求されたチェッカーの開始ポイントで、典型的には、水平ブランキングの開始の２ミリ秒前に、始まるように調節される。ＰＬＬの出力信号は、チェッカー信号と垂直変更信号の両方の水平レート成分を抽出するため使用される。
【００１０】
同期分離器１１からのバーストゲート出力信号は、インバータＵ５によって反転させられ、インバータＵ５はクランプ増幅器Ａ１のためのクランプ用パルスを生じる。尚、回路１０（図１Ｄ）は、減衰に基づくコピー防止処理を実現する回路からの入力信号を受け取る。
【００１１】
上記のWonfor外の特許第5,583,936号には、単独で使用されるか、或いは、他の信号変更技術と繋いで（Wonfor外の特許第5,583,936号の図６ａのブロック９６、図１３Ａ、１３Ｂ、１４Ａ及び１４Ｂを参照せよ）使用される同期パルス狭幅化回路及び方法が記載されている。この方法は、映像信号シンク（同期）パルス、主として、水平同期パルスを狭幅化するので、不法コピーが作成されたとき、同期パルス幅、すなわち、期間が縮小した減衰映像は、テレビ受像機で視聴されるときに再生性問題を生じる。その理由は、殆どのテレビ受像機の同期分離器は、同期チップ直流再生を組み込んでいるからである。これらのテレビ受像機の同期分離器は、典型的に、中程度のインピーダンスによって駆動されるので、同期パルスは部分的に切り取られる（クリッピングされる）。同期パルスを狭幅化することによって、同期パルスはより一層切り取られるようになる。特に、上述のチェッカー、及び／又は、エンド・オブ・フィールド変更信号を含む映像信号の無許可コピーが作成されたとき、コピーのビデオの振幅は、同期パルス幅の縮小によって低下する。その結果として、テレビ受像機の同期分離器は、狭幅化された同期パルス幅からの同期分離器による切り取りと、ビデオ自体の減衰とのために、同期信号が著しく損なわれていることを検出する。このようにして、テレビ受像機の同期分離器は、同期を適切に抽出することができず、水平及び／又は垂直変更の効果が非常に強いので、テレビ画像はさらに見る価値がなくなる。
【００１２】
〔発明の概要〕
本発明による装置及び方法は、映像信号によって搬送される内容、たとえば、将来表示される音声若しくは映像内容の表示を制御するため、映像信号に存在するか、或いは、映像信号へ付加されるべき、コピー防止情報の少なくとも一つの属性を変更する（たとえば、チェッカー信号、同期狭幅化、垂直ジッタパルス、及び／又は、同期振幅を変更する）。上述の同期パルス若しくは帰線エンハンサーのような一つ以上のパルスを、予め決められていない形で変更することによって、従来技術の方法は改良される。このような変更を動的（な）変更と呼ぶ。たとえば、このような本発明による動的変更は、コピー防止が有効ではなかった暗いシーン若しくは明るいシーンの表示中に、従来技術よりも多くの帰線エンハンサー及び／又は狭幅化同期パルスを利用してコピー防止の有効性を高める。動的変更の量は、変更されたパルスを搬送する減衰されていない映像信号は普通の状態で見ることができるが、減衰した映像信号（たとえば、コピー）は再生性の問題を生じることが保証されるように選択される。本発明の変更用（すなわち、動的）エンハンスメント信号は、好ましくは、基本的なコピー防止信号、たとえば、ＶＣＲにおける自動利得制御（ＡＧＣ）レベルを変化させる変更映像信号と組み合わされる。
【００１３】
一実施形態で行われるコピー防止情報の動的変化は、映像信号によって搬送されるシーンの内容に関連する。一実施例において、変更される属性は、帰線エンハンサーの下側レベルであり、これにより、帰線エンハンサーは、シーン内容若しくは明るさに対する感度が高くなる。この実施例の第１例では、上述のWonfor外の特許第5,583,936号に記載されているようにエンド・オブ・ライン（ＥＯＬ）に付加されたチェッカーパターンのように、水平帰線エンハンサーの下側レベルが変更され、この変更は、表示されるべきシーンの、明るさ若しくはシーン内容（すなわち、平均画像レベルＡＰＬ）のような特性に関連する。上述のエンド・オブ・ライン（ＥＯＬ）に関連したパルスの変更に加えて、或いは、その代替として、エンド・オブ・フィールド（ＥＯＦ）に関連したパルスの一つ以上の属性を映像信号によって搬送されるシーン内容に依存して動的に変更してもよい。したがって、第２例では、映像信号のオーバースキャン領域ではなく、アクティブビデオ中の一つ以上のラインのグループに付加された垂直帰線エンハンサーの下側レベル、たとえば、上述のWonfor外の特許第5,583,936号に記載されているように断続的に付加されたピークホワイト信号又は中間グレイ信号が変更される。この第２例では、変形次第で、カラーバースト信号は変更されずに（すなわち、低レベルで）搬送するようにしてもよく、或いは、付加された垂直帰線エンハンサーによって高レベルで搬送してもよい。
【００１４】
添付図面を通じて、同じ構成要素、機能要素などには同様の番号が付けられ、一方、等価的ではあるが多少の差異がある構成要素、機能要素などには、プライム記号或いは２重プライム記号を含む同様の番号が付けられる。
【００１５】
〔好ましい実施態様の説明〕
本発明は、通常は、（必須的ではないが）典型的に映像信号の多数のフレームに亘って映像信号に付加されているコピー保護情報を動的に変更する方法及び装置に関する。実施形態に応じて、このようなコピー防止信号は、多数のフレームの全体で変更されるだけではなく、フレームの選択されたラインで変更することが可能である。種々の実施態様において、コピー防止情報の動的変更は、映像信号によって搬送されるシーン内容若しくは明るさ（平均画像レベルＡＰＬ）と関連付けられる。このような変更されたコピー防止情報は、シーンにおけるコピー防止効果を高めることができる。これに対し、たとえば、Wonforの'936号特許の記載にしたがって強化されたRyanの'603号特許若しくは'098号特許、或いは、Morioの'253号特許によって与えられるような、通常通りに付加された基本コピー防止情報は、映像信号によって搬送された変化しないシーン、たとえば、暗いシーンでは、あまり効果的ではない。変更されたコピー防止情報の属性は、減衰されていない映像信号の再生性に影響を与えないように選択される。
【００１６】
図２Ａに示された一実施例において、映像信号によって搬送されるシーン内容の明るさは、回路５２によって直接的に、或いは、間接的に測定され、測定された明度は、映像信号に含まれるコピー防止信号の属性を変更するため使用される。特に、たとえば、映画の多数のシーンを搬送する映像信号は、Wonforの'936号特許に記載されているようなタイプの回路５１を具備し得るコピー防止回路５０を用いて通常の方式でコピー防止処理される。本発明によれば、明るさ測定回路５２を具備し得るコピー防止情報変更回路５３は、映像信号の特性に依存してコピー防止情報を動的に変更する。回路５３によって生成された映像信号がテレビに映し出されるとき、画像は通常の様態で見える。しかし、このような映像信号がＶＣＲ５５によってビデオテープに記録されるとき、信号は弱められ（減衰させられ）、減衰した信号をテレビ５６に映し出すと、再生性の問題が生じる。
【００１７】
実施態様に応じて、明るさ測定回路５２の代わりに、映像信号の内容の別の属性（たとえば、ＶＢＩにおけるデジタル信号）に対する感度が高い他の回路を、コピー防止情報変更器回路５３で使用してもよい。さらに、実施態様に依存して、コピー防止情報変更器回路５３は、図２Ｂに示されるようにコピー防止回路５０の上流（前方）に配置してもよく、或いは、図２Ｃに示されるようにコピー防止回路５０と並列に配置してもよい。尚、他の実施態様では、単一の回路５７（図２Ｄ）が、たとえば、明るさ測定回路５２を内部に組み込むことによって、（図２Ａ〜２Ｃに示されるような回路によって実現される２ステップ処理ではなく）１ステップで、内容高感度コピー防止情報を付加する。したがって、実施態様に応じて、明るさ測定回路５２は、Wonforの'936号特許の回路５１のようなコピー防止回路に対して任意の方式で（たとえば、上流に、下流に、並列に、或いは、組み込み型に）接続することが可能である。
【００１８】
一実施例では、平均画像レベルが映像信号中のシーン内容の明るさの指標（インジケーター）として使用される。本例で使用されるように、平均画像レベル（ＡＰＬ）は、ブランキングレベルと基準白レベルとの差の割合として表現されたアクティブ画像時間帯の平均信号ラベルを表わす。ＡＰＬは、たとえば、白レベルに対して表現してもよく、その場合、１００％ＡＰＬは白レベルを表わす。
【００１９】
本実施例の他の変形例は、画像レベル測定中に、たとえば、典型的なＶＣＲ、及び／又は、テレビ受像機からの典型的な同期分離器からの自動利得増幅器を使用する。このような一変形例では、コピー防止処理済の映像信号中で、自動利得制御（ＡＧＣ）パルスのようなパルスを見つけ出し、普通のＡＰＬよりも低いＡＰＬをもつシーンでは、これらのパルスのレベルを動的に低下させる。
【００２０】
この実施例では、帰線エンハンサーの下側レベルは、平均画像レベル（ＡＰＬ）に応じて変更される。帰線エンハンサーの下側レベルは、たとえば、白レベルの５０％として定義された普通のＡＰＬよりも低いＡＰＬをもつシーンに関して下げられる。逆に、シーンのＡＰＬが普通のＡＰＬよりも高い場合、帰線エンハンサーのブランキングレベルは上昇させられる。一例において、ＡＰＬは約２５％以下であり、帰線エンハンサーの低い方のレベルは、シーン内容のブランキングレベルよりも小さくなるように変更される（たとえば、−１０％白レベル、或いは、ＮＴＳＣの場合には、−１０ＩＲＥ）。この例では、あるラインのオーバースキャン領域に隠れた帰線エンハンサーは、アクティブ映像信号の少なくとも一部分がブランキングレベルよりも下がるように、レベルを移される。他の例では、シーンのＡＰＬは約８０％以上であり、帰線エンハンサーの下側レベルはブランキングレベル周辺、若しくは、ブランキングレベルよりも僅か上方へ変更される。
【００２１】
実施例に依存して、このような方法及び装置は、オーバースキャン領域のあるラインがシーン内容のブランキングレベルよりも低下しないようにすることができるので、他の場合には減衰した映像信号が表示されるときに生じたであろう再生性の問題が回避される。したがって、適応的なアプローチは、再生性の問題を回避し、コピー防止の効果を最大限に活かす。たとえば、帰線エンハンサーの下側レベルが、ＡＰＬの高いシーンの表示中にブランキングレベルよりも低下した場合、テレビ受像機によって再生性問題が生じるであろう。この問題の一つの原因は、テレビ受像機の同期スライサが、高いＡＰＬのシーン中に、少し負側のレベルでスライスする。テレビ受像機は、帰線エンハンサーを同期信号として取り扱うので、実際の同期信号とは異なる時点で帰線を生じる。このような再生性問題は、後述のように、基本コピー防止処理の帰線エンハンサーによって与えられるコピー防止信号の下側レベルのような変更されるべき属性を、ＡＰＬのようなシーン内容の特性に関連付けることによって最小限に抑えられる。
【００２２】
同時に、コピー防止の効果は最大限に引き出される。なぜならば、変更された（たとえば、レベルを移された）帰線エンハンサーは、特に、減衰同期パルス、減衰画像レベル、又は、両方の組合せを含み得る減衰した（たとえば、コピーされた）映像信号で効果的になるからである。特に、ＡＧＣパルス及び疑似同期パルス、及び／又は、水平同期パルスによって生じた減衰映像信号を利用すると、ここで説明されるタイプの変更された帰線エンハンサーは、ＶＣＲ及び／又はテレビ受像機によって、変更されていない帰線エンハンサーよりも容易に検知され得るようになる。変更された帰線エンハンサーが検知されたとき、ＶＣＲ及び／又はテレビ受像機は、Ryanの'603号特許に記載されているようなコピー防止処理済映像信号、或いは、Wonforの'936号特許に記載されているような強化されたコピー防止処理済映像信号よりも見え難い画像を生成する。尚、Ryanの'603号特許及び'098号特許と、Morioの'253号特許と、Wonforの'936号特許について触れているが、本願発明におけるコピー防止信号は、たとえば、ＶＣＲ及び／又はテレビ受像機に利得制御又は暗化の影響を生じさせるスキームのような任意の従来技術のスキームに応じて準備することができる。
【００２３】
したがって、本発明の方法及び装置は、減衰映像信号を使用してＶＣＲ及び／又はテレビ受像機に付加的なコピー防止効果を生じさせると共に、普通の再生中の再生性問題を軽減する。より高いレベルのコピー防止（たとえば、減衰に基づくコピー防止処理による暗化と、Wonforの'936号特許の処理全体に亘る画像不安定性の増加）が、帰線エンハンサーの下側レベルをブランキングレベルよりも下方へ動的に変更する本発明によって達成される。このような変更は暗いシーンだけで行われるので、普通の再生に関してアーティファクトが生じない。
【００２４】
図３Ａから３Ｃは、多数のフレームに亘って下側レベルを変えることにより変更された図１Ａから１Ｃの帰線エンハンサーの説明図である。特に、図３Ａでは、変更後のチェッカーＭＥＳ３及びＭＥＳ４の下側レベルは、標準の黒（又はブランキング）レベルよりも下げられ、変更後のチェッカーＭＥＳ５及びＭＥＳ６の下側レベルは標準の黒（又はブランキング）レベルよりも高い。図１Ａから１Ｃと同じように、ＥＳ０−ＥＳ２、ＭＥＳ３−ＭＥＳ６、ＧＰ０、ＧＰ３、ＭＧＰ１−ＭＧＰ２、ＭＧＰ４−ＭＧＰ５で表わされた図３Ａから３Ｃの波形の形状は、可変映像レベルであることを示すために破線で描画されている。
【００２５】
尚、一実施態様において、上述の下側レベルの移動はシーン内容に関連付けられる。この具体的な実施態様は、変更されたチェッカーＭＥＳ３及びＭＥＳ４が、（たとえば、ＡＰＬが４０％未満のシーンとして定義された）暗いシーンのラインの最後に現れ、夫々の下側レベルがブランキング（若しくは黒）レベルよりも下へ移動させられた図３Ａに示されている。これに対して、変更されたチェッカーＭＥＳ５及びＭＥＳ６は、（たとえば、ＡＰＬが６０％以上であるシーンとして定義された）明るいシーンのラインに現れ、夫々の下側レベルがブランキング（又は黒）レベルよりも高くなるように上昇される。実施態様に依存して、チェッカー信号の下側レベルは、明るいシーン中のブランキングレベル以上にしてもよい。たとえば、下側レベルは、白レベルの約０乃至７．５％の映像レベルでもよい。
【００２６】
尚、チェッカーＥＳ１及びＥＳ２は、変更されること無くそのままにされ、すなわち、それらの下側レベルはブランキング（又は黒）レベルである。なぜならば、これらのラインを含む映像信号は、普通のシーン（たとえば、ＡＰＬが４０％乃至６０％のシーン）を含むからである。
【００２７】
図３Ｂを参照するに、暗いシーンに現れる図１Ｂに示されたグレイパターンＧＰ１の下側レベルは、標準のブランキング又は黒レベルよりも低下させられ（変更後グレイパターンＭＧＰ１）、一方、明るいシーンに現れる図１Ｂのグレイパターンの下側レベルは、標準のブランキング又は黒レベルよりも上昇させられる（変更後グレイパターンＭＧＰ２）。上記実施態様の一変形例では、図３Ｃに示されるように、グレイパターンはカラーバーストを搬送するので、カラーバーストは、シーン内容のＡＰＬに依存して、必要に応じて、低下若しくは上昇させられる。
【００２８】
上記実施態様の一変形例は、図４Ａに示されているように、Wonforの'936号特許の回路５１と、コピー防止変更器（以下では、帰線エンハンスメント変更器と呼ぶ）回路５３とを含む。回路５３は、明るさ測定回路のような検知回路１０１を含み、検知回路１０１は、映像入力ライン１０２上でコピー防止処理済映像信号を受け取り、コピー防止処理済映像信号中のシーン内容の特性に関連した電圧レベルを、インジケーター出力端子１０３を介して、スイッチ１０７へ供給する。その結果として、本実施態様の場合に、検知回路１０１は、図４Ｂにステップ１１３として示されるように、コピー防止処理済映像信号のライン、フレーム、若しくは、多数フレームの明るさを検知する。尚、回路１０１によって取得される映像信号は、既に、Wonforの'936号特許に記載されているタイプの一つ以上の帰線エンハンサーを含んでいる。この帰線エンハンサーは、図４Ｂのステップ１１１で回路５１によって生成され、ステップ１１２において映像信号に付加されている。
【００２９】
ここで説明する検知回路１０１は、明るさ測定回路、すなわち、明るさ変化のレートに限定されることなく、映像信号の特性を検知する他の回路でも構わない。回路１０１の他に、変更器５３（図４Ａ）は、（図４Ｂにステップ１１４Ａで示されるように）映像信号中で帰線エンハンサーの位置を検出するタイミング発生器１０４（帰線エンハンスメント位置探索器（ロケータ）とも呼ばれる）を含む。タイミング発生器１０４（図４Ａ）は、入力ライン１０２に接続された入力ライン１０５を具備し、入力ライン１０５からコピー防止処理済映像信号を取得し、帰線エンハンサーが存在するときに制御パルスをスイッチ１０７へ供給するタイミング出力端子１０６を具備する。実施例に依存して、検知回路１０１は、オン状態のままにされ、スイッチ１０７は、ここで説明するタイプのシーン内容に対する感度が高い帰線エンハンサーを付加（或いは、挿入）するため、タイミング発生器１０４によって制御される。
【００３０】
スイッチ１０７は、加算点１０９に接続された出力端子１０８を具備する。加算点１０９は、ライン１１０によって、コピー防止処理済映像入力信号を搬送するライン１０２に接続される。したがって、加算点１０９は、（図４Ｂのステップ１１４Ｂに示されるように）明るさ信号と映像信号を合成し、既に映像信号に存在する帰線エンハンサーを変更する。すなわち、明るさ信号によって示された量で、帰線エンハンサーのレベルをシフトさせる。実施例に応じて、加算点１０９は、加算器（たとえば、電圧の信号（−Ｖ）が回路１０１によって供給される場合）、或いは、乗算器（たとえば、電圧の信号（１−Ｖ）が回路１０１によって供給される場合）のような合成器、又は、これらの合成器の組合せとして実現される。ステップ１１４Ａ及び１１４Ｂは、明るさ又はシーン内容に基づいてコピー防止情報を変更するため、全体としてステップ１１４を実現する。
【００３１】
図５Ａには、コピー防止情報変更器回路５３の一実施態様が詳細に示されている。図５Ａの検知回路１０１は、入力ライン１０２で受信した映像信号の振幅を検出する振幅センサ１１７と、出力端子１０３に電圧レベルを発生させるため振幅センサ１１７からの振幅を使用するレベル割当器回路１１８と、を具備する。一変形例において、振幅センサ１１７は、映像信号のラインでシーン内容の振幅（図５Ｂ及び図５Ｃを参照せよ）を直接的に測定し、１フレームの数本のライン、又は、多数のフレームに亘って振幅を平均化する。代替的な変形例において、振幅センサ１１７は、テレビ受像機で一般的に使用される同期分離器のトランジスタの入力端子で同期パルスの振幅を測定する。この代替的な変形例では、同期パルス振幅は、映像信号中のシーン内容の平均画像レベル（ＡＰＬ）に比例して変化する。図５Ｂに示されるように、同期パルス振幅の絶対値ＢＡは、たとえば、明るいシーンの場合に、２００ミリボルトであり、暗いシーンでは、たとえば、３００ミリボルトの絶対値Ｂ’Ａ’へ変化する。明るさの異なるシーン間での同期パルス振幅のロス（たとえば、３００ミリボルトから２００ミリボルトへの変化）は、（図８Ａに示された回路２２３におけるトランジスタＱ１のベースのような）同期分離器の入力回路におけるクリッピング動作によって生じる。
【００３２】
上述の通り、レベル割当器回路１１８（図５Ａ）は、振幅センサ１１７によって発生された振幅を、帰線エンハンサーを変更するため使用する電圧レベルに写像する（割当てる）。割当器回路１１８は、図５Ｄに示される線形関係のような任意の特定の関数を生成するようプログラムすることができるが、非線形関係でもよい。図５Ｄに示された例において、振幅センサ１１７（図５Ａ）によって与えられる測定された同期パルス振幅が最大値の２５％以下である場合、割当器回路１１８は、０ＩＲＥに対応した電圧レベルを発生する（たとえば、電圧は０である。）。同期パルス振幅が最大値の８０％であるとき、割当器回路１１８は、−１５ＩＲＥに対応した電圧レベルを発生する。したがって、図５Ｄは、チェッカー信号の低（ロー）状態が、同期分離器の入力で測定された同期パルス振幅に応じて更に低下させられる状況の一例を示している。尚、Ｘ軸に追ってプロットされた低状態電圧は、番組映像の選択されたライン若しくは選択されたライン部分に対するレベルシフト電圧としても使用できるので、コピー防止処理を強化する別の方法を作成することができる。
【００３３】
また、上述のように、スイッチ１０７（図５Ａ）は、ライン１１０上の映像信号に既に組み込まれている１個以上の帰線エンハンサーをレベル変化若しくは減衰させるため、割当器回路１１８によって生成された電圧レベルを、適当な時点で、加算点１０９へ供給する。したがって、シーン内容に依存して、帰線エンハンサーの下側レベルは、図６Ａ及び６Ｂに示されるようなシーンのＡＰＬに応じた様々な量でレベルがシフトさせられる。特に、明るいシーンでは、図６ＡのチェッカーＣ１及びＣ２は、電圧レベルΔＶ（低チェッカーＣ２をブランキングレベルよりも上へ移す正の値）で移され、図６ＢのチェッカーＣ３及びＣ４は、電圧レベルΔＶ’（低チェッカーＣ４をブランキングよりも下へ移す負の値）で移される。
【００３４】
尚、減衰のある環境では、テレビ若しくはＶＣＲの同期分離器は、それに応じて検知信号、すなわち、図６Ａ及び６Ｂに破線で描かれたスライスレベルが変化する。なぜならば、スライスレベルは、シーンの明るさに応じて増加し、シーンの暗さに応じて減少するためである。その結果として、図６Ａ及び６Ｂに示されているように、普通のシーンと暗いシーンの両方のシーンにおいて、低チェッカー条件用の同期信号は、高チェッカー条件用の同期信号よりも先に始まる。特に、低チェッカーによる同期信号の方が先に開始すると（図６Ａにおける信号６ＡＡと図６Ｂにおける信号６ＢＢを参照せよ）、高チェッカーによる通常の同期信号によってトリガーされ、通常は同期信号の前縁で開始する帰線よりも先に（図６Ａの信号６ＡＡＡ及び図６Ｂの信号６ＢＢＢを参照せよ）、帰線がチェッカーＣ２、Ｃ４の前縁で開始する。
【００３５】
同期パルス狭幅化は、上述のチェッカー及び／又は垂直ジッタパルスのような帰線エンハンサーのブランキングレベルの低下と同様に有利である。同期パルス幅の動的狭幅化は、上述の帰線エンハンサーのブランキングレベルの低下の代替として、或いは、ブランキングレベルの低下に付加して使用される。特に、同期パルス幅が狭くなればなるほど、より大きい同期振幅クリッピングが同期分離器で使われる。帰線エンハンサーのブランキングレベルを動的に低下させる理由は、不正コピーが再生されるときに、テレビ受像機の同期分離器が、低下したブランキングレベル・チェッカー信号及び／又は垂直ジッタ信号を引き起こすようにするためである。同様に、たとえば、明るさ又は平均画像レベルの関数として、同期パルス幅を動的に減少させると、減衰させられた映像信号のコピー防止の実効性が増加し、同時に、減衰させられた映像信号に対するより安全な再生性が維持される。
【００３６】
本発明の動的同期パルス狭幅化処理の一例は、シーン内容レベルが高い場合、若しくは、平均内容レベルに対し、ＶＢＩ付近で水平同期パルスを相対的に少しだけ（たとえば、４．０ミリ秒まで）狭幅化し、同時に、シーン内容レベルが低い場合には、同期パルスを比較的大きく（たとえば、２ミリ秒まで）狭幅化する。ここで説明する動的同期パルス狭幅化は、好ましいものであるが、Ryanの'603号特許に記載されているようなコピー防止回路と共に、或いは、ここで開示する回路の任意の部分と共に、或いは、たとえば、ＶＣＲ若しくはＴＶ受像機において画像の減衰又は暗化を生じさせる基本コピー防止処理と共に、使用しなければならないわけではない。
【００３７】
図５Ｅは、チェッカーに対してアクティブフィールドの大部分で水平同期パルス、好ましくは、同期パルスの後縁に使用され、垂直ジッタ信号に対してＶＢＩ付近の水平同期パルスに使用される、同期パルス狭幅化の説明図である。同期パルス振幅（図５Ｄのｙ軸方向にプロット）は、典型的な同期分離器の入力側で測定され、水平同期パルス幅（ｘ軸方向にプロット）は、置き換えられた狭幅化後の同期パルス幅である。同期パルス狭幅化処理において、狭幅化された同期パルスの前縁は、好ましくは、必須ではないが、通常の同期信号の前縁と実質的に一致する。
【００３８】
実施例に依存して、図７Ａに示された割当器回路１１８’は、反転増幅器１１５と、直流オフセット信号ＤＣ  ＯＦＦＳＥＴが供給される加算接合点１１６と、を含む。直流オフセット信号は交流成分を含んでいてもよい。或いは、割当器回路１１８”は、図７Ｂに示されたコンポーネントであるアナログ・デジタル変換器（Ａ／Ｄ）１１９と、メモリ（ＥＰＲＯＭ）１２０と、デジタル・アナログ変換器（ＤＡＣ）１２１と、反転増幅器（−Ｋ１）１２２と、加算接合点１１６と、を含む。メモリ（たとえば、ＥＰＲＯＭのようなメモリ）を使用することによって、図５Ｄに示された線形関係以外の関係を実現することが可能になるが、これは非常に高価な実装例である。実装とは無関係に、割当器回路１１８”は、同期分離器が同期パルス振幅に与える影響に基づいて電圧レベルを供給するように構成される。たとえば、図５Ｄには、０ＩＲＥから−２０ＩＲＥまでのレンジが示され、ここで、１００ＩＲＥは、１ボルトのピーク・ツー・ピーク映像信号に対して７１４ミリボルトに対応する。尚、ある種の場合に、直流オフセット信号の値は０ボルトである。
【００３９】
図７Ｃは、コピー防止情報変更器回路５３の一実施態様の詳細な説明図である。このため、図５Ａの振幅センサと類似した振幅センサ１１７は、上述のように同期パルス振幅（たとえば、図６ＡのＢＡ）を測定し、必須的ではないが好ましくは典型的なテレビ受像機の同期分離器である回路１２３を用いて実現される。回路１２３の入力トランジスタ（図８ＡのＱ１を参照せよ）、或いは、等価物で、同期パルスの振幅は映像画像レベルに関連して変化する。同期パルス振幅は、回路１２４、１２６及び１２７によって測定される。回路１２４は、サンプル・ホールド回路１２６へ出力するバッファ増幅器である。サンプル・ホールド回路１２６は、好ましくは、水平ライン毎に、実質的にコピー防止信号を含まない同期サンプルパルス及びバックポーチ・サンプルパルスを、それぞれ、制御端子１２６Ａ及び制御端子１２６Ｂで受け取る。
【００４０】
サンプル・ホールド回路１２６は、同期パルスのレベルの測定値Ａ及びバックポーチパルス（すなわち、ブランキング）のレベルの測定値Ｂを、差動増幅器回路１２７の２本の入力ラインへ出力する。回路１２７の出力はレベル割当器回路１１８に供給される。図７Ａに示されるように、割当器回路１１８は、反転増幅器だけを用いて実現でいる。このような反転増幅器は、同期パルス振幅に比例した負電圧を端子１０３へ供給する。この負電圧は、チェッカー帰線エンハンサー又はジッタ帰線エンハンサーが現れている間に、スイッチ１０７及び加算点１０９を介して入力映像へ加算される。したがって、加算点１０９の出力は、テレビ受像機が減衰していない映像信号を再生する間に、アーティファクトを低減する低（及び／又は高）帰線エンハンサーを動的にシフトさせ、同時に、コピーされたときのように映像信号が減衰している場合に、コピー防止の実効性を高める。
【００４１】
センサ１１７（図７Ｃ）は、入力映像を同期分離器回路１２８へ供給することにより、同期サンプル信号及びバックポーチ・サンプル信号を取得する。同期分離器回路１２８の出力は、疑似同期パルスを含む場合もある複合同期パルスにより構成される。ワンショット・タイミング回路１２９は、回路１２８からの出力を受け、垂直同期パルス若しくは疑似同期パルスを含まない水平レートパルスを生成する。回路１２９の出力は、ワンショット回路１３０へ供給され、ワンショット回路１３０の出力は、ＡＮＤゲート回路１３１によって回路１２８の出力と論理積演算される。ＡＮＤゲート回路１３１の出力は、同期サンプル信号を得るため、（別のワンショット）タイミング回路１３５へ供給される。回路１３１の出力は、（更に別のワンショット）回路１３４へ供給され、回路１３４は、ブランキングレベルと一致したバックポーチ領域にバックポーチ・サンプル信号を生成する。同期サンプルパルス及びバックポーチ・サンプルパルスは、それぞれ、上述の回路１２６の制御端子１２６Ａ及び１２６Ｂへ供給される。尚、回路１３４は、Ryanの'098号特許やMorioの'253号特許に示されるような別の基本コピー防止処理のように、増大させられた（或いは、変更された）バックポーチレベルと一致したパルスの生成を避ける。
【００４２】
図７Ｃに示される実施態様において、タイミング発生器１０４は、同期振幅センサ１１７に収容された同期分離器回路１２８を共用する。回路１２８の他に、タイミング発生器１０４は、回路１２８から信号を受け、「ＥＯＬ／ＥＯＦコントロール」信号を出力するタイミング回路１３３を具備する。ＥＯＬ／ＥＯＦコントロール信号は、たとえば、図１Ａ−１Ｃに示された帰線エンハンサーＥＳ０−ＥＳ６及びＧＰ０−ＧＰ５と一致するパルスを含む。回路１３３の出力信号は、ジャンパー線１３８及び端子１０６を介して、スイッチ１０７へそのまま供給してもよく、これにより、割当器回路１１８からの電圧レベルを上述のように映像信号の帰線エンハンサーに加える。
【００４３】
或いは、ジャンパー線１３８は、ＡＮＤゲート１３２からスイッチ１０７へ信号を供給するように設定してもよい。ＡＮＤゲート回路１３２は、回路１３３からの信号と、別のタイミング回路１３９からの別の「ＥＯＬ／ＥＯＦ  ローピリオド」信号と、を受ける。「ＥＯＬ／ＥＯＦ  ローピリオド」信号は、帰線（たとえば、チェッカー又は垂直ジッタ）エンハンスメント信号がロー状態である期間中だけに論理ハイになる信号である。「ＥＯＬ／ＥＯＦ  コントロール」信号は、「ＥＯＬ／ＥＯＦ  ローピリオド」信号と、「ＥＯＬ／ＥＯＦ  ハイピリオド」信号の論理和として獲得される。直前に説明した別のジャンパー線構造の場合、割当器回路１１８の出力は、概ね、帰線エンハンスメントがロー状態である期間に限り、スイッチ１０８によって加算点１０９に供給される。帰線エンハンサーがハイ状態である場合には、一般的に影響されない。
【００４４】
図８Ａ及び８Ｂに示された更なる一実施例において、好ましくは、ＶＣＲの利得を変化させるコピー防止処理済映像信号（基本コピー防止情報とも称される）は,入力信号として受信され、出力信号は、水平タイプ、垂直タイプ、若しくは、両方のタイプの、シーン内容に関連した属性（たとえば、平均画像レベル）を備えた帰線エンハンサーを含む基本コピー防止情報を有する。入力映像信号は、増幅器回路２２２によって受信され、増幅器回路２２２は、受信信号を反転し、反転映像波形を典型的な同期分離回路２２３へ供給する。同期分離器回路２２３は、入力抵抗器Ｒ０を有し、入力抵抗器Ｒ０の出力はコンデンサＣ０によって接地される。抵抗器Ｒ０の出力は、コンデンサＣ１によって、トランジスタＱ１のベースに供給される。トランジスタＱ１のベースは、抵抗器Ｒ１を介して、高基準電圧源＋Ｖに接続される。トランジスタＱ１のコレクタは、抵抗器ＲＬを介して、高基準電圧源＋Ｖに接続され、エミッタは接地される。
【００４５】
トランジスタＱ１のベースでの映像信号は、振幅が入力映像信号によって搬送される画像レベルに関連して変化する同期パルスを含む。抵抗器Ｒ０及びＲ１は、好ましくは、回路２２３が典型的なテレビの同期分離器の動作を真似るようにセットされる。たとえば、同期チップは、Ｒ０の値が大きくなると（たとえば、５００Ωよりも大きい１ＫΩ）、或いは、Ｒ１の値が小さくなると（たとえば、２００ＫΩよりも小さい６８ＫΩ）、より大きく減衰し、及び／又は、クリップされる。同期分離器回路２２３内の全ての部品の値が設定されると、同期信号の減衰量及び／又はクリッピングの量は、実質的に、ビデオ画像レベル、すなわち、シーン内容に関連する。一般的に、シーン内容若しくは平均画像レベルが高くなると、トランジスタＱ１のベースで測定される同期減衰（若しくはクリッピング）の量が増加する。
【００４６】
増幅器回路２２４は、トランジスタＱ１のベース上の電圧を一時的に蓄え、これにより、トランジスタのベースでの同期（パルス）振幅は、サンプル・ホールド回路によって測定され、サンプル・ホールド回路はブランキングレベル信号及び同期チップ信号を生成する。ブランキングレベルを測定するサンプル・ホールド回路は、スイッチ２２５と、コンデンサＣ２と、増幅器２３１とにより形成される。同期チップレベルを測定する別のサンプル・ホールド回路は、スイッチ２２６と、コンデンサＣ３と、増幅器２３２とにより形成される。増幅器２３１及び２３２の出力は、差動増幅器２３３へ供給され、そこから、割当器回路２３４へ供給される。
【００４７】
上述の通り、割当器回路２３４は、トランジスタＱ１のベースからの同期振幅に比例した負電圧をロー状態に加える簡単な反転増幅器を用いて実現することができる。この場合、トランジスタＱ１のベースの同期振幅が大きくなるのに応じて、水平及び／又は垂直エンハンスメント信号のロー状態に対する電圧がより大きい負の値になる。尚、特に断らない限り、図８Ａ及び８Ｂに示された回路において、映像ブランキングレベルは零ボルトとして定められる。
【００４８】
他の形式において、割当器回路２３４は、たとえば、図７Ｂに示されるように、アナログ・デジタル変換器と、メモリ回路と、オプション的なマイクロプロセッサと、デジタル・アナログ変換器とを含む。本例の場合に、トランジスタＱ１のベースでの同期振幅電圧は、メモリ回路及び／又はマイクロプロセッサ回路によって決められた電圧に割当てられる。この形式の場合、たとえば、図１Ａ−１Ｃに示されるような水平及び／又は垂直帰線エンハンサーの低下させられたロー状態電圧、若しくは、負のロー状態電圧を最適化するためのより厳密な方法が実現され得る。
【００４９】
割当器回路２３４の出力は、加算回路２３７の入力へ接続される。加算回路２３７の他の入力は、初期ロー状態電圧源に接続される（図７Ａでは直流オフセットと呼ばれ、公称値が零ボルトである図８ＡのＥＯＬローバイアス信号を参照せよ。）。ＥＯＬローバイアス信号は、ＡＰＬが高い場合に、ブランキング電圧よりも高い電圧を生じる。尚、シーンの明るさが十分に強い場合、たとえば、６０％以上である場合、チェッカーの下側レベルはブランキングレベルよりも高くなり、直流オフセット信号はブランキングレベルを超えるまで増加する（たとえば、＋５％白）。
【００５０】
加算回路２３７の出力は、ハイ状態電圧信号ＥＯＬ  ＨｉＶとロー状態電圧四号ＥＯＬ  ＬｏＶを切り換えることによって、水平エンハンサー（すなわち、ＥＯＬ信号又はチェッカー）を生成するスイッチ２３５に接続される。スイッチ２３５の切換の周波数は、発生器源（図示せず）からのチェッカー周波数信号の周波数によって決められる。チェッカー周波数信号は、直流のハイとローの何れでもよく（すなわち、零周波数）、たとえば、全てのラインのフロントポーチを置き換えることによって実現される。或いは、チェッカーの付加のオンとオフは、たとえば、（１０００Ｈｚまでの（一例として、３００Ｈｚが使用される）直流のレートで、或いは、Ｎが１０若しくは１１のような自然数を表わすとき、フィールド周波数のＮ倍で切り換えられる。スイッチ２３５からの出力は、映像信号へ挿入するため、スイッチ２３８へ供給される。特に、タイミング回路２３０によって生成された別の信号ＥＯＬ  ＣＯＮＴは、水平帰線エンハンサーを映像信号に挿入するため、スイッチ２３８の動作を制御する。
【００５１】
同様に、水平帰線エンハンサーは、スイッチ２３６によって生成され、スイッチ２３６は、加算回路２３７のロー状態電圧ＥＯＦ  ＬｏＶとハイ状態電圧ＥＯＦ  ＨｉＶの間で切り替る。垂直帰線エンハンサーの周波数は、別の発生器源（図示せず）から受信した、スイッチ２３６の制御入力での垂直ジッタ周波数信号によって決まる。ジッタ周波数は、たとえば、最大２０Ｈｚのレートで直流ハイ状態、ロー状態のどちらでもよく、一例において、周波数は、２から１０Ｈｚまでの範囲で変化し、３秒毎に一掃する。スイッチ２３６は、出力信号を、スイッチ２３０の入力の一方へ供給し、これにより、垂直帰線エンハンサーを映像信号に挿入する。特に、スイッチ２３９は、タイミング回路２４０からの信号ＥＯＦ  ＣＯＮＴによって制御される。スイッチ２３９の出力は、出力増幅器回路２４０に接続され、出力増幅器回路は、開示された本発明の変更された帰線エンハンサーを有する映像信号を供給する。尚、（変更後）の水平及び垂直帰線エンハンサーの一方若しくは両方は、映像信号に挿入されるのではなく、その代わりに、映像信号に付加される（図８Ｃ）。
【００５２】
図８Ａにおけるオプション的な測定回路２４２は、ビデオカセットレコーダ（ＶＣＲ）のＡＧＣ増幅器の効果を考慮して、入力端子と割当器回路２３４の間に直列接続された回路２４１及び２４４により形成される。回路２４１は、好ましくは、典型的なＶＣＲのＡＧＣ増幅器である。回路２４１は、減衰ベースのコピー防止処理に反応するので、映像レベルは、回路２４４に接続された回路２４１の出力で変更される。回路２４４は、サンプル・ホールド回路であり、同期パルス振幅を測定する。本例の場合、割当器回路２３４は、テレビ受像機の同期分離器へ供給されたときに映像レベルによって生じる同期信号の低下量の測定値と、コピー防止処理済の映像信号の記録されたコピーに現れる映像減衰量の測定値と、が与えられる。回路２３４は、最小の再生アーティファクトで最大のコピー防止を行う状況において、たとえば、一体的なＡＧＣ増幅器の動作のために同期パルスが最小であるとき、たとえば、サンプル・ホールド回路２４４を介して、非常に大きい負の電圧を生じ、トランジスタＱ１のベースにおけるクリッピング量が少ないために同期パルスが最大になるとき、差動増幅器２３３を介して、非常に大きい負の電圧を生じる。回路２４２は、最大ＡＧＣ効果の間に、チェッカー及び／又はＥＯＦをゲートで制御するためにも使用される。
【００５３】
上述のサンプル・ホールド回路２４４が要求する同期信号サンプリング用の信号（たとえば、信号Ｓサンプル）及びブランキングレベル用の信号（たとえば、信号ＢＰサンプル）は、それぞれ、回路２２８及び回路２２９によって生成される。回路２２８及び２２９は、ワンショット回路、若しくは、その他のタイミング回路を具備し、増加若しくは変更されたバックポーチ信号、又は、バックポーチ信号の選択された部分と時間的に一致したタイミング信号の発生を回避するための回路を含む場合もある。同期分離器回路２２７は、出力信号を、各回路２２８、２２９及び２３０に供給し、コピー防止情報（たとえば、疑似同期パルス）を除去し、通常の複合同期信号だけを出力する回路を含む。
【００５４】
本発明の別の実施態様では、オプション的な回路４００（図８Ｂ）が設けられ、平均画像レベルに応じて、或いは、同期分離器２２３（図８Ａ）の入力で変更された同期レベルに応じて、入力信号の同期パルス幅を動的に変更し、コピー防止済信号に更なるエンハンスメントを付加する。特に、たとえば、増幅器２４０（図８Ａ）からの信号は、スイッチ４１０（図８Ｂ）の入力へ供給される。スイッチ４１０の別の入力は、新しい同期パルス及びカラーバーストを含む信号を受け取る。この新しい同期パルスは、映像信号中の選択されたラインで、平均画像レベル（たとえば、同期分離器の入力で測定された同期パルス振幅）に応じて動的に狭幅化される。新しいバーストは、必須的ではないが、好ましくは、入力映像信号と色位相が一致する。また、好ましくは（必須的ではないが）、バースト包絡線は、元の入力映像信号のカラーバーストよりも長い。同期パルスが狭幅化されると、典型的なバーストは、必須的ではないが、好ましくは、延ばされ、たとえば、後述のように、ＨＢＩの最後から始まる。
【００５５】
狭幅化された同期パルスは、可変ワンショット・タイミング回路４０５によって生成される。可変ワンショット・タイミング回路４０５は、同期分離器回路２２７（図８Ａ）のような回路からトリガー入力信号を受ける。たとえば、差動増幅器２３３（図８Ａ）からの（すなわち、画像レベルの関数としての）同期振幅は、たとえば、直流オフセット電圧を用いる増幅器でもよい処理回路（図８Ｂ）に供給される。回路４０３の出力は、幅制御入力信号として回路４０５へ供給される。この幅制御入力信号は、たとえば、回路４０５に組み込まれたタイミングコンデンサへ流入する電流を制御する。電流が大きくなると、回路４０５によって供給されるパルスの幅が短くなる。差動増幅器２２３（図８Ａ）によって測定されるような同期振幅がハイ状態である場合、回路４０５からの出力パルスは非常に幅が狭いか、又は、通常よりも狭くなり、同期振幅パルスがロー状態である場合、回路４０５からの出力パルスは比較的幅が広い（すなわち、殆ど狭幅化されない。）。回路４０５からの出力回路は、入力として、加算回路４０９（図８Ｂ）及びワンショット・タイミング回路４０６へ供給される。ワンショット回路４０６は、例えば、回路４０５からの出力パルスの後縁によってトリガーされる。回路４０６からの出力信号は、たとえば、新しいバースト包絡線を収容するため、典型的に、２．８ミリ秒の幅よりも広い。
【００５６】
位相ロックループ回路４０１（図８Ｂ）は、ＡＮＤゲート４０７の入力ラインへ供給される色搬送波を再生する。回路４０７の他の入力ラインは、ワンショット回路４０６のバーストゲート出力を受ける。回路４０７の出力は、クロマ帯域通過フィルタ４０８に供給される。回路４０８の出力は、実質的に正しいカラーバースト位相であり、加算回路４０９へ入力として供給される。
【００５７】
回路４０９の出力は、狭幅化された同期信号（すなわち、変更されたパルス幅）と、新しいカラーバーストとを含み、スイッチ４１０へ入力として供給され、スイッチ４１０は、ＡＮＤゲート４０４によって出力された信号で制御される。ＡＮＤゲート４０４は、スイッチ４１０が、選択されたライン（たとえば、垂直ブランキング区間（ＶＢＩ）の中、若しくは、付近にあるライン）の水平ブランキング区間（ＨＢＩ）の少なくとも一部分で、新しい狭幅化同期パルス及び新しいカラーバーストを選択的に供給できるようにさせる。タイミング回路４０２は、新しい同期パルス及びバースト区間と、選択されたテレビラインの期間の合計に対する信号を発生する。回路４０２は、回路２２７（図８Ａ）から同期パルス信号を受信し、オフの時間を計るため受信した信号を使用する。回路４０２の出力は、バーストＰＬＬ回路４０１にタイミング（たとえば、カラーバーストタイミング）パルスを与え、バーストＰＬＬ回路４０１は、上述のように副搬送波生成のため使用される。ＰＬＬ回路４０１には、図８Ａからの入力映像も供給される。スイッチ４１０の出力は、入力として増幅器４１１へ供給され、増幅器４１１は、映像信号によって搬送されるシーンの明るさに関連して動的に変化するパルス幅をもつ同期パルスを含む映像信号を発生する。これらの幅変更同期パルスは、好ましくは、前縁が通常の同期パルスの前縁と実質的に一致させられる。
【００５８】
本発明の更なる変形によれば、同期クリッピング又は減衰は、コピー防止信号を動的に強化するため、平均画像レベルの代わりに使用される。図５Ｅは、同期パルス幅が、入力映像に関して（ｙ軸を見よ）、同期分離器の入力で測定された同期振幅の関数として縮小される様子（ｘ軸を見よ）を示している。図５Ｆは、高い同期振幅を示す平均画像レベルの低いシーン中に、選択された同期信号の出力が、１０乃至２０ＩＲＥの単位で減少する状況を示している。同様に、平均画像レベルが高い場合、（同期分離器の点で測定されるような）同期振幅は低く、出力に関する同期パルスの幅の縮小量はおよそ零であるので、出力同期パルス幅は、約４０ＩＲＥのままである。
【００５９】
したがって、本発明の装置及び方法は、従来技術の場合には一般的に現れていた、平均画像レベルのようなシーン内容によって生じるコピー防止効果の変動を補償する。たとえば、ＡＰＬすなわち平均画像レベルが高くなると、コピー防止効果は大きくなる。特に、本発明の装置及び方法の種々の実施形態は、テレビ受像機及び／又はＶＣＲの同期分離器における同期信号クリッピングの量を増加させ、高いコピー防止効果のため帰線エンハンサーのセンシングを増大させる高いＡＰＬの変動問題を解決し、また、同期分離器における同期クリッピングを小さくさせ、通常のコピー防止効果のため帰線エンハンサーのセンシングを低下させる低いＡＰＬの変動問題を解決する。
【００６０】
このような一実施形態において、図８Ａの増幅器２２２及び２３３と、増幅器２２２と増幅器２３３の間の回路素子は、全体として、他の箇所で説明した明るさ測定回路２６０を形成する。図８Ａにおいてスイッチ２３８及び２３９で示されるように、映像信号の一部分を明るさ若しくはシーン内容によって変化する帰線エンハンサーで置き換えるのではなく、帰線エンハンサーは、図８Ｃに加算器２５０で示されるように、映像信号部分を変更することによって形成することが可能である。尚、図８Ｃの回路のその他の部分は、上述の相違点を除くと、図８Ａの回路と同じである。特に、図８Ｃにおいて、スイッチ２３８は、スイッチ２３５から１個の信号（信号ＥＯＬ）だけを受け取り、スイッチ２３９は、スイッチ２３５から１個の信号（信号ＥＯＦ）だけを受け取る。図８Ｃの各スイッチ２３８及び２３９は、対応した出力信号を加算器２５０へ供給し、加算器２５０は入力映像信号も受け取る。加算器２５０は、変更出力信号を図８Ａの増幅器２４０へ供給する。加算器２５０は、映像内容に基づくレベルシフト用電圧を、映像ライン、及び／又は、選択された映像ラインの最後、若しくは、ＶＢＩ付近のライン部分に付け加える。垂直ジッタ信号は、動的にブランキングレベルよりも低下する映像信号（たとえば、番組映像）のラインの一部分でもよい。
【００６１】
図８Ｄは、図８Ａの回路２４２の変更例の説明図であり、回路２４２の変更例は、好ましくは、基本コピー防止信号からの可変ＡＧＣ信号に応答する自動利得制御（ＡＧＣ）は本発明に組み込まれ得る。本変更例の一局面は、不法コピーが作成されたときに、悪影響を生じるエンハンスメントを増加させる。簡単化されたブロック図では、変調ＡＧＣパルスを含む基本コピー防止信号は、好ましくは、図８Ａの増幅器２４１のような典型的なＶＣＲのＡＧＣ増幅器へ供給される。回路２４１は、ＡＧＣパルスの変調された性質のため映像出力のレベルが変化する。その結果として、同期振幅は、減衰量に応じて変化する。このように、典型的には、ＡＧＣパルスが十分に実効性を示すとき、或いは、最大の効果を発揮するとき、同期増幅器２９２の出力は、通常の同期パルス振幅の約３分の１（たとえば、約１００ｍＶ）になる。ＡＧＣパルスが、殆ど、若しくは、全くコピー防止効果を示さないように変調されたとき、増幅器２９２の出力は、約３００ｍＶの実質的に通常の同期パルス振幅を示す。増幅器２９２の出力は、第２入力側で３００ｍＶ信号を受ける差動増幅器２９３に供給される。増幅器２９３は、最小から最大までのコピー防止効果によって、０ｍＶから約２００ｍＶの範囲の信号を出力し、この出力はスケール倍率回路２９４へ供給され、スケール倍率回路２９４は、零から典型的にマイナス５％ホワイトレベルまで変化する電圧レベルを発生する。ＡＧＣ増幅器の最大減衰が実効的であるとき、マイナス５％の出力は、ＴＶラインの最後の映像部分、及び／又は、ＶＢＩ付近にあるライン内の映像部分が、（たとえば）更にマイナス５％だけ下げられることを意味する。スケール倍率回路２９４の出力は、たとえば、図８Ａの回路２３４のような差動増幅器へ供給されるか、若しくは、加算される。
【００６２】
図８Ｅのブロック図は、本発明が、レベルシフト用電圧をＥＯＬ及びＥＯＦの場所に加えることによって実施される状況の更なる説明図である。入力５０６上の変更された映像信号は、Ryanの'603号特許若しくは'098号特許、或いは、Morioの'253号特許のような基本コピー防止信号を含む。信号５０６は、検知回路５０７へ供給され、検知回路５０７は、映像シーン内容を検知し、対応した信号を処理する。この信号は、たとえば、交流カップリング状況におけるＡＰＬのために映像ラインにおいて、同期分離器の入力での同期クリッピングの量、又は、通常のバックポーチの相対的に負の電圧レベル、若しくは、バックポーチの通常若しくは変更された部分に関連する。回路５０７の出力は、レベル割当器回路５０９へ供給され、レベル割当器回路５０９は、一般的に、交流カップリングされたバックポーチの状況における低いＡＰＬ、少ない同期クリッピング、又は、より絶対値の小さい負のバックポーチ電圧に対して、より絶対値の大きい負の電圧出力を生ずる。ＡＰＬが高い場合、回路５０９の出力は、交流カップリング状況において、同期クリッピングの量が大きくなるか、又は、負のバックポーチ電圧の絶対値が大きくなるのに伴って、負の値の絶対値が小さくなり、零に接近し、場合によっては、僅かに正の電圧になる。回路５０９の出力電圧は、スイッチング回路５１０及び５１１を用いて、実質的にＥＯＬ及び／又はＥＯＦの期間を通じてゲート制御される。加算増幅器５１２は、回路５１０及び５１１から電圧を受け、映像シーン内容に関連させて、映像（部分）のレベル及び／又はエンハンスメント信号を低下させる。尚、任意のバックポーチサンプリングは、バックポーチの増加部分又は変更部分を実質的に含まないサンプル領域で行われるべきである。タイミング発生器５０８は、ＥＯＬの位置のようなＴＶラインの最後の付近の期間中、及び、ＶＢＩふきんにおけるアクティブライン部分（ＥＯＦ）の間の期間中に、論理ハイ状態の信号を生成する。
【００６３】
図３Ａ乃至３Ｃに示された信号は、図９Ａに示されるような別の組合せによっても生成することができる。ここで、図９Ｂのステップ３０４に示されるように画像レベルを指定する検知回路３０１（たとえば、明るさ検知回路）は、信号を、（ステップ３０５に示されるように）帰線エンハンサーを生成するコピー防止回路３１０（図９Ａ）に供給する。回路３１０は、動的に変更された帰線エンハンサーを得るため、（ステップ３０６に示されるように）回路３０１からの信号を生成された帰線エンハンサーに加え、次に、（図９Ｂのステップ３０７に示されるように）変更された帰線エンハンサーを映像信号に加える。
【００６４】
特に、コピー防止回路３１０（図９Ａ）は、映像信号を受信するための映像入力ライン３１１と、帰線エンハンサーを生成する際に回路３１０によって使用される電圧レベルをもつ映像入力ライン３１２と、帰線エンハンサーを含む変更された映像信号を供給する映像出力ライン３１３と、を有する。検知回路３０１は、映像入力ライン３１１に接続された入力端子３０２と、電圧入力ライン３１２に接続された出力端子３０３と、を含む。動作中に、検知回路３０１は、端子３０２で受信された映像信号によって搬送されるシーン内容に関連した信号を出力端子３０３へ供給する。コピー防止回路３１０は、チェッカー又はグレイパターン信号のような帰線エンハンサーを生成するため、端子３０３からの出力を含むライン３１２上の信号を使用する。この帰線エンハンサーは、ライン３１３へ供給される変更映像信号を生成するため、映像信号に加えられる。
【００６５】
たとえば、図９Ｃに関して説明する以下の実施態様では、コピー防止信号はチェッカー信号を含み、回路３１０は、チェッカー信号の下側レベルを生成するため電圧入力ライン３１２で受信された信号を使用する。図９Ｃに示された実施態様において、回路３１０は、Wonforの'936号特許に記載されているような従来技術の回路１０（図１Ｄ）と同様の方法で実現される。但し、ポテンショメータＶＲ２及びＶＲ４の代わりに、検知回路３０１は、フィールドの最後に付加されるグレイパターン及びチェッカー信号を生成する際に使用する低レベル信号を供給する。尚、図１ＤのポテンショメータＶＲ２及びＶＲ４を使用してもよく、これらのポテンショメータの負側端子−Ｖは、回路３０１（図９Ａ）の出力端子に接続され、従来技術と同様の手動調節が可能になる。図９Ｃには、図８Ｃの加算器２５０の構成の概念がより詳細に示されて、図９Ｃにおいて、抵抗器Ｒｓｕｍ及びＲｏは、図８Ｃの加算器２５０のような回路を形成する。
【００６６】
図１０は、映像部分の減衰によって、ＴＶラインの最後、及び／又は、ＶＢＩ付近のアクティブ映像部分で、レベルをシフトする別の方法の説明図である。回路５０７、５０８及び５０９については、既に説明した通りである。タイミング発生器５０８の出力は、ＯＲゲート５１８によって論理和演算され、ＯＲゲート５１８の出力はスイッチ５１７へ接続される。スイッチ５１７は第２入力側で電圧Ｖｒｅｆを受ける。ＴＶラインの最後の期間、又は、ＶＢＩ付近のアクティブ映像ラインの期間に、ＯＲゲート５１８は論理ハイ状態であり、電圧制御型増幅器（ＶＣＡ）５１６に利得を変化させる。たとえば、この利得変化は、暗いシーンでは、映像信号及び／又はコピー防止エンハンスメント信号を低下させるため、回路５０８によって定められる期間に亘って利得を低下させる。明るいシーンの場合、上述の映像期間はあまり減衰させられない。映像期間の大半において、ＯＲゲート５１８の出力はロー状態であり、ＶＣＲ５１６には、通常の映像レベルを出力させる基準電圧が与えられる。図１０の一つの不可欠な要素は、入力信号を受け、同期信号チップのようなブランキングレベル以下に入力信号をクランプする回路５１９である。これにより、同期信号チップを超えた映像部分で減衰が実現される。ＶＣＡ５１６の出力は、（選択された）ＴＶラインの最後（ＥＯＬ）の期間中、及び／又は、ＶＢＩ付近のラインの映像部分（ＥＯＦ）の期間中に映像信号の部分が減衰する。
【００６７】
図１１は、交流カップリングによって明るさ情報を測定する代替的な回路の説明図である。コピー防止処理済の映像信号は、高域通過フィルタを介して交流カップリングされ、画像の明るさが増加するのにつれて、バックポーチレベルの負の値の絶対値がさらに大きくなる。
【００６８】
たとえば、交流カップリング後に、映像信号が１００％ホワイトレベルの信号である場合、バックポーチ部は、約マイナス５７０ミリボルトの値をとる。ＰＡＬ方式のカラーブラック信号の場合、交流カップリングしたバックポーチ電圧は、約プラス２０ミリボルトを生じる。水平ブランキング期間における映像信号の一部分をサンプリングすることにより、画像の明るさは、上述のような１ライン毎の電圧に関連付けることが可能である。
【００６９】
したがって、図１０の明るさ検知回路５０７は、図１１では回路５０７Ａとして表わされている。回路５０７Ａは、番組映像及び基本コピー防止信号を含む映像源であるような映像源６００を具備する。映像源６００は、同期分離器回路６０１に接続され、その次に、タイミング回路６０２が接続される。タイミング回路６０２は、通常のブラックポーチの変更されていない部分の間にパルスを発生する。映像源６００の信号は、コンデンサＣｉと抵抗器Ｒｉとにより構成された高域通過フィルタ回路網６０８に供給される。Ｃｉの容量の典型的な値は、１００μＦであり、Ｒｉの抵抗の典型的な値は、１５０Ωである。これらの部品の絶対値そのものよりも、ＲＣ時定数の方が重要である。高域通過フィルタ６０８の出力は、増幅器６０３によってバッファされ、スイッチ及びホールドコンデンサＣｈにより構成されたサンプル・ホールド回路６０４へ供給される。サンプルは、映像信号のバックポーチ部分の間にコンデンサＣｈを充電する。このバックポーチ部分は、通常は、Ryanの'098号特許やMorioの'253号特許に記載されているような、通常の同期パルス後にＡＧＣパルスのような変更されたバックポーチ部分を含まない。サンプル・ホールド・コンデンサ電圧は、増幅器６０５によって一時的に蓄積され、増幅器６０５は映像の明るさに関連した電圧を生じる。増幅器６０５の出力は、図５Ａや図７Ａなどの割当器１１８に対応する割当回路５０９Ａに接続される。回路５０９Ａは、他の回路でも構わないが、本例の場合、回路５０９Ａは差動増幅器６０６を含む。差動増幅器６０６は、閾値電圧ＶＢを受け、増幅器６０５の電圧を、平均ピークホワイト信号が約０ボルトになり、平均ブラックレベル信号が約＋５５０ミリボルトになるような値に変換する。増幅器６０６の出力は、次に、約０ボルト（明るいシーン）から約マイナス１３７ミリボルト（暗いシーン）までの電圧レンジが得られるように、回路６０７によって反転され、低減される。或いは、タイミング回路６０２は、ある種のコピー防止信号の変更されたバックポーチ部分を避けるため、水平同期チップをサンプリングするため使用してもよく、その後で、閾値電圧ＶＢが、回路６０７の出力で同じ電圧レンジを得るために必要な異なる電圧に変更される。反転回路６０７の出力は、図５Ａ及び７Ｃの回路１１８、若しくは、図８Ａ及び８Ｃの回路２３４のためのもう一つの出力である。
【００７０】
以上の通り説明した実施形態の様々な変更及び改造は、開示された事項に基づいて当業者が容易になし得るであろう。たとえば、別の実施形態では、上述のコピー防止情報の変更は、映像信号によって搬送されるシーン内容に基づいて動的に行われるのではなく、予め決められたやり方、若しくは、ランダムなやり方で行われる。予め決められたやり方で変更された場合、このような変更は、所定の頻度で行われ得る。たとえば、チェッカー信号、ＡＧＣ信号、若しくは、疑似同期パルスのような帰線エンハンサーの下側レベルは、一定の頻度で変更される。ランダムなやり方で変更される場合、このような変更は、乱数発生器に基づいて疑似ランダム的に実行してもよく、或いは、音声（オーディオ）内容に応じて実行してもよい。別の例として、他の実施態様では、シーン内容に基づいて映像信号中のパルスの属性を変更するのではなく、使用されるコピー防止スキームのタイプ（若しくは、それらの組合せ）の個数がシーン内容に応じて変更される。映像信号の全てのシーンに対して１個の保護スキームを使用するのではなく、たとえば、異なるスキーム、若しくは、付加的なスキームが暗いシーンを保護するため使用され得る。
【００７１】
更に別の例では、付加されたパルスを変更する代わりに、通常は映像信号のアクティブ映像部分の各ラインの最後に現れる既存の水平同期パルスの最低レベルが、シーン内容の関数として（図５Ｆを参照せよ）、（たとえば、Ryanに付与された米国特許第4,695,901号に記載されるように）同期パルスを除去することなく同期振幅を低下させるため、（たとえば、Wonforの'936号特許に記載されているように）同期クリッパー、又は、負側ピーククリッパーによって変更される。このようにして、多数のフレームに亘る水平同期パルスは、たとえば、表示されるべきシーンの明るさ（図５Ｆを参照せよ）に依存した変動レベルを有する。更にもっと別の例では、水平同期パルスは、シーン内容に関連して狭幅化若しくは拡幅化されるので、フレーム（又は、ライン）に亘る水平同期パルスは、表示されるべきシーンの明るさに依存した可変幅をもつ（図８Ｂに示されたプロセッサ４０３及び可変ワンショット回路４０５と、図５Ｅを参照せよ。）。他の例では、水平同期パルスの後縁の直後に続くＡＧＣパルスの振幅は、表示されるべきシーンの明るさに依存して変更される。
【００７２】
また、帰線エンハンサーは、画像レベルだけではなく、動的プロセス（Ryanの'603号特許を参照せよ）にも適応する。動的プロセスは、ＡＧＣと疑似同期信号と水平同期パルスのうちの少なくとも一つを、時間の関数として、変化及び／又は変更することにより、コピー防止処理を動作（オン）させたり、停止（オフ）させたりする。動的プロセスの一例は、ＡＧＣパルスを変調する振幅を含む。ＡＧＣパルスがブランキングレベル付近にあるとき、コピー防止処理は必ずオフになる。したがって、本例の場合、テレビは、ＡＧＣ、疑似同期パルス、及び／又は、水平同期パルスの減衰効果を検知し、変更された帰線エンハンサーに適切に（すなわち、帰線させることによって）応答することが可能である。たとえば、ＡＧＣパルスがブランキングレベルであるとき、帰線エンハンサー（すなわち、チェッカー若しくは垂直ジッタ信号）は、可視性を高めるため、低減及び／又は除去される。
【００７３】
他の例の場合、（図９Ｃに示されるように）１個のＡＰＬインジケーターを使用するのではなく、２個のセンサ（図示しない）が、個々の低レベル入力ライン、すなわち、スイッチ１４−２に結合されたチェッカー下側レベルライン及びスイッチ１４―４に結合されたエンド・オブ・フィールド下側レベル入力ラインと個別に接続される。
【００７４】
さらに、上述の通り、明るさ測定回路５２（図２Ａ）は、信号をコピー防止回路５０へ供給するため（たとえば、帰線エンハンサーを発生する際に使用される低電圧信号を供給するため）、或いは、コピー防止回路５０から信号を取得するため（たとえば、コピー防止処理済信号を受信し、コピー防止処理済信号に既に含まれている帰線エンハンサーを、上述のレベルシフトによって変更するため）、コピー防止回路５０に接続され得る。ＡＰＬインジケーターの代わりに、シーン内容に関連した信号を使用する他の装置で代用してもよい。
【００７５】
したがって、以上の実施態様及び例の多様な変更及び適応は、特許請求の範囲に記載された事項によって網羅されている。
【図面の簡単な説明】
【図１Ａ】  先行技術の低状態が固定レベルである帰線エンハンサーＥＳ０−ＥＳ６の説明図である。
【図１Ｂ】  先行技術の低状態が固定レベルである帰線エンハンサーＧＰ０−ＧＰ２の説明図である。
【図１Ｃ】  先行技術の低状態が固定レベルである帰線エンハンサーＧＰ３−ＧＰ５の説明図である。
【図１Ｄ】  先行技術で帰線エンハンサーを映像信号若しくは基本的なコピー防止処理された映像信号を付加するため使用されるコピー防止強化回路の中間レベルのブロック図である。
【図２Ａ】  映像信号によって搬送されるシーン内容に基づいてコピー防止を動的に強化するため使用される本発明による明るさ測定回路を説明する上位レベルのブロック図である。
【図２Ｂ】  映像信号によって搬送されるシーン内容に基づいてコピー防止を動的に強化するため使用される本発明による明るさ測定回路を説明する上位レベルのブロック図である。
【図２Ｃ】  映像信号によって搬送されるシーン内容に基づいてコピー防止を動的に強化するため使用される本発明による明るさ測定回路を説明する上位レベルのブロック図である。
【図２Ｄ】  映像信号によって搬送されるシーン内容に基づいてコピー防止を動的に強化するため使用される本発明による明るさ測定回路を説明する上位レベルのブロック図である。
【図３Ａ】  低レベルが図２Ａの回路の一実施例におけるシーン内容に依存して動的に変更される帰線エンハンサー（内容反応性エンハンサー）ＭＥＳ３−ＭＥＳ６の説明図である。
【図３Ｂ】  低レベルが図２Ａの回路の一実施例におけるシーン内容に依存して動的に変更される帰線エンハンサー（内容反応性エンハンサー）ＭＧＰ１及びＭＧＰ２の説明図である。
【図３Ｃ】  低レベルが図２Ａの回路の一実施例におけるシーン内容に依存して動的に変更される帰線エンハンサー（内容反応性エンハンサー）ＭＧＰ４及びＭＧＰ５の説明図である。
【図４Ａ】  図３Ａ−３Ｃに示されるような形で、明るさに関連した信号に基づいて帰線エンハンサーを動的に変更する帰線エンハンスメント位置探索器（ロケータ）と共に使用する明るさ測定回路の中間レベルのブロック図である。
【図４Ｂ】  図４Ａに示された回路において帰線エンハンサーを動的に変更するため実行される動作を説明するフローチャートである。
【図５Ａ】  図４Ａに示された明るさ測定回路によって受信された映像信号の振幅を検出するため使用される振幅センサの中間レベルのブロック図である。
【図５Ｂ】  映像信号中で明るいシーンを有するラインの部分を示す波形である。
【図５Ｃ】  映像信号中で暗いシーンを有するラインの部分を示す波形である。
【図５Ｄ】  図５Ａの振幅センサによって測定された同期信号振幅（ｙ軸方向にプロット）と、（チェッカー若しくは垂直ジッタパルスのような）帰線エンハンサーの低レベルとして使用するための図５Ａのレベル割当器によって与えられる相対的な低状態レベル（ｘ軸方向にＩＲＥ単位でプロット）の間の関係を示すグラフである。
【図５Ｅ】  同期パルスの幅（ｘ軸方向）の縮小に応じて変化する同期分離器の入力ラインでの同期パルスの振幅（ｙ軸方向）（或いは、シーンの明るさ）を示すグラフである。
【図５Ｆ】  シーン内容に相対的な動的同期減衰（ｘ軸方向）に応じて変化する同期パルスの振幅（ｙ軸方向）を示すグラフである。
【図６Ａ】  普通のシーンの場合に、映像信号における帰線インジケータの低レベルと高レベルの間の関係と、ＴＶ若しくはＶＣＲの同期分離器において減衰した映像信号を用いることによって生成された対応した同期信号と、を示す図である。
【図６Ｂ】  暗いシーンの場合に、映像信号における帰線インジケータの低レベルと高レベルの間の関係と、ＴＶ若しくはＶＣＲの同期分離器において減衰した映像信号を用いることによって生成された対応した同期信号と、を示す図である。
【図７Ａ】  図５Ａに示されたレベル割当器の代替的な実現例を示す下位レベルブロック図である。
【図７Ｂ】  図５Ａに示されたレベル割当器の代替的な実現例を示す下位レベルブロック図である。
【図７Ｃ】  図５Ａに示されたタイプの同期振幅センサ及び帰線エンハンスメント検出器の一変形例の下位レベルブロック図である。
【図８Ａ】  帰線エンハンスメントが動的に変更される図７Ａに示された回路を実現する回路図である。
【図８Ｂ】  同期パルス幅が動的に変更される図７Ａに示された回路の別の実施例の回路図である。
【図８Ｃ】  図８Ａに示された回路の代替的な実施例を示す図である。
【図８Ｄ】  図８Ａの回路への変更処理を説明する概略図である。
【図８Ｅ】  低状態のＥＯＬ信号及びＥＯＦ信号だけが動的に変更される図８Ａ及び図８Ｃの回路の変更例を示す詳細ブロック図である。
【図９Ａ】  コピー防止回路と共に明るさ測定回路を使用する代替的な実施例の上位レベルブロック図である。
【図９Ｂ】  図９Ａに示された回路において帰線エンハンサーを変更するため実行される動作のフローチャートである。
【図９Ｃ】  図９Ａに示された実施態様の一実施例を示す中間レベルのブロック図である。
【図１０】  本発明の他の実施態様を説明する下位レベルのブロック図である。
【図１１】  交流カップリング回路を介して明るさレベルを測定する別の実施態様を説明する下位レベルのブロック図である。
【図１Ａ】
0004538179.tif 000002
【図１Ｂ】
0004538179.tif 000003
【図１Ｃ】
0004538179.tif 000004
【図１Ｄ】
0004538179.tif 000005
【図２Ａ】
0004538179.tif 000006
【図２Ｂ】
0004538179.tif 000007
【図２Ｃ】
0004538179.tif 000008
【図２Ｄ】
0004538179.tif 000009
【図３Ａ】
0004538179.tif 000010
【図３Ｂ】
0004538179.tif 000011
【図３Ｃ】
0004538179.tif 000012
【図４Ａ】
0004538179.tif 000013
【図４Ｂ】
0004538179.tif 000014
【図５Ａ】
0004538179.tif 000015
【図５Ｂ】
0004538179.tif 000016
【図５Ｃ】
0004538179.tif 000017
【図５Ｄ】
0004538179.tif 000018
【図５Ｅ】
0004538179.tif 000019
【図５Ｆ】
0004538179.tif 000020
【図６Ａ】
0004538179.tif 000021
【図６Ｂ】
0004538179.tif 000022
【図７Ａ】
0004538179.tif 000023
【図７Ｂ】
0004538179.tif 000024
【図７Ｃ】
0004538179.tif 000025
【図８Ａ】
0004538179.tif 000026
【図８Ｂ】
0004538179.tif 000027
【図８Ｃ】
0004538179.tif 000028
【図８Ｄ】
0004538179.tif 000029
【図８Ｅ】
0004538179.tif 000030
【図９Ａ】
0004538179.tif 000031
【図９Ｂ】
0004538179.tif 000032
【図９Ｃ】
0004538179.tif 000033
【図１０】
0004538179.tif 000034
【図１１】
0004538179.tif 000035